(57)【要約】【課題】のぞき見及びひったくり防止効果を向上させる銀行等のＡＴＭコーナーにおける複数のＡＴＭ機間の仕切壁パネル構造を提供する。【解決手段】  シャッターガイドレール幅にほぼ等しい間隔を空けて設置される２枚の略長方形のパネル枠体の四辺のうち、相互に向かい合う辺の側面の上部の幅を、両隣に設置されたＡＴＭ機相互の間隔にほぼ等しくなるようにして、２枚の略長方形のパネル枠体にそれぞれ半透明のアクリル板、ガラス板等をはめ込む。【選択図】図１
0003160609.tif 000002
【実用新案登録請求の範囲】
【請求項１】
銀行等のＡＴＭコーナーにおける複数のＡＴＭ機間の仕切壁パネル構造において、
シャッターガイドレール幅にほぼ等しい間隔を空けて設置される２枚の略長方形のパネル枠体の四辺のうち、相互に向かい合う辺の側面の上部の幅を、両隣に設置されたＡＴＭ機相互の間隔にほぼ等しくなるようにし、
２枚の略長方形のパネル枠体にそれぞれ半透明のアクリル板、ガラス板等をはめ込んだこと
を特徴とする仕切壁パネル構造。
【考案の詳細な説明】
【技術分野】
【０００１】  本考案は、銀行等のＡＴＭコーナーにおける複数のＡＴＭ機間の仕切壁パネル構造に関し、特に、のぞき見及びひったくり防止効果を向上させる仕切壁パネル構造に関する。
【背景技術】
【０００２】  銀行等金融機関においては高度のセキュリティー及びプライバシー保持が要請されることから、金融機関店舗窓口やＡＴＭにおいては、顧客同士が隔離され、他の顧客から通帳その他の情報をのぞき見られないような工夫が求められる。
【先行技術文献】
【特許文献】
【０００３】
【特許文献１】特許公開２００２−３６４２５３公報
【考案の概要】
【考案が解決しようとする課題】
【０００４】  上記の技術は、顧客がブース内の空間に入室すると、不透明な状態になり、顧客の暗証番号や現金の収納場所などが外部から盗み見られることがないようにするものであるが、ブースの形式となっていない銀行等のＡＴＭコーナーにおける複数のＡＴＭ機間の仕切壁パネル構造としては、ＡＴＭコーナーの利用時間終了において、防犯のためシャッターを降下しなければならいことから、シャッター降下に差しつかえがないように、単にＡＴＭ機の奥行きにほぼ等しい幅の仕切壁パネル等が設けられているに過ぎなかった。しかし、シャッターの内側に仕切壁が収納されなければならない理由はなく、しかも、単にＡＴＭ機の奥行き長に併せて仕切壁パネル等が設けられているだけでは、利用者が操作しているＡＴＭ機の操作画面を隣の列に並んでいる人がのぞき見ることを防止することができず、また、利用者がＡＴＭ機の操作のためにＡＴＭ機の上に置いた鞄等を隣の列に並んでいる人がひったくることを防止することもできない。【０００５】  本考案の目的は、のぞき見及びひったくり防止効果を向上させる銀行等のＡＴＭコーナーにおける複数のＡＴＭ機間の仕切壁パネル構造を提供することにある。
【課題を解決するための手段】
【０００６】  上記目的を達成するために本考案は、
銀行等のＡＴＭコーナーにおける複数のＡＴＭ機間の仕切壁パネル構造において、
シャッターガイドレール幅にほぼ等しい間隔を空けて設置される２枚の略長方形のパネル枠体の四辺のうち、相互に向かい合う辺の側面の上部の幅を、両隣に設置されたＡＴＭ機相互の間隔にほぼ等しくなるようにし、
２枚の略長方形のパネル枠体にそれぞれ半透明のアクリル板、ガラス板等をはめ込んだこと
を特徴とする。
【考案の効果】
【０００７】  本考案によれば、ＡＴＭ機の奥行きにほぼ等しい幅で設けられた仕切壁パネルに加え、ＡＴＭコーナー終了時に降下されるシャッターガイドレール幅より若干大きい間隔でさらに１枚仕切壁パネルを設置し、さらに、２枚のパネル枠体の四辺のうち、相互に向かい合う辺の側面の上部の幅を、両隣に設置されたＡＴＭ機相互の間隔にほぼ等しくなるようにするため、のぞき見及びひったくり防止効果を挙げることができる。
【図面の簡単な説明】
【０００８】
【図１】図１は、本考案である仕切壁パネル構造の一実施例であり、銀行のＡＴＭコーナーの斜視図である。
【図２】図２は、本考案である仕切壁パネル構造の一実施例であり、銀行のＡＴＭコーナーの正面図である。
【図３】図３は、本考案である仕切壁パネル構造の一実施例であり、同仕切壁パネル構造を設置されたＡＴＭ機の側面側から見た図である。
【図４】図４は、本考案である仕切壁パネル構造の一実施例であり、同仕切壁パネル構造を設置されたＡＴＭ機の正面側から見た図である。
【図５】図５は、本考案である仕切壁パネル構造の一実施例であり、同仕切壁パネル構造をＡＴＭコーナー天井から見下ろした図である。
【図６】図６は、本考案である仕切壁パネル構造の一実施例であり、同仕切壁パネル構造を設置されたＡＴＭ機の側面側から見た図である。
【図７】図７は、本考案である仕切壁パネル構造の一実施例であり、同仕切壁パネル構造をＡＴＭコーナー側面から見た図である。
【考案を実施するための形態】
【０００９】  以下、図面を参照し、本考案の実施の形態を具体的に説明する。
【００１０】  図１は、本考案である仕切壁パネル構造の一実施例であり、銀行のＡＴＭコーナーの斜視図である。
【００１１】  図１におけるＡＴＭコーナーにおいては、４台のＡＴＭ機が設置されており、それぞれのＡＴＭ機間には本考案である仕切壁パネル構造が採用されている。
【００１２】  図１における仕切壁パネル１は、従来のＡＴＭコーナーにおいても設置されていたものであるが、本考案においてはさらに仕切壁パネル２が設置される。
【００１３】  図１における仕切壁パネル１と仕切壁パネル２とは、シャッターが降下できるように、シャッターガイドレール幅と等しい間隔で設置されている。
【００１４】  図１における仕切壁パネル１と仕切壁パネル２とは、シャッターが降下できるように、仕切壁パネルの設置間隔はシャッターガイドレール幅以上の間隔で設置されるが、設置間隔が広ければ広いほど、のぞき見防止及びひったくり防止効果が薄れるのは言うまでもなく、仕切壁パネルの設置間隔はシャッターガイドレール幅と等しい間隔が好ましい。
【００１５】  図１における仕切壁パネル１と仕切壁パネル２とは、それぞれが略長方形のパネル枠体に半透明のアクリル板、ガラス板等をはめ込んで成る。
図２は、本考案である仕切壁パネル構造の一実施例であり、銀行のＡＴＭコーナーの正面図であり、Ｒ１及Ｌ１部分がのぞき見防止及びひったくり防止の効果を奏するためのいわゆる「羽根」の部分である。
【００１６】  図２における「羽根」部分は、その幅が両隣に設置されたＡＴＭ機相互の間隔にほぼ等しい。なお、２枚のパネル枠体の相互に向かい合う辺の側面の「上部」とは、側面のうち、大体ＡＴＭ機の操作画面の高さ以上の部分（図１におけるｃ−ｄ間の部分）を指し、側面幅が両隣に設置されたＡＴＭ機相互の間隔にほぼ等しい程度に広げられているのが好ましいが、人間の身長、頭の位置、手の位置から考えて、例えば、ＡＴＭ機設置床から約１９０センチメートル以上の部分については、必ずしも、側面幅が両隣に設置されたＡＴＭ機相互の間隔にほぼ等しい程度にまで広げられていなくても、のぞき見防止及びひったくり防止の効果を十分奏しうる。
【００１７】  図３は、本考案である仕切壁パネル構造の一実施例であり、同仕切壁パネル構造を設置されたＡＴＭ機の側面側から見た図であり、図２のＡ−Ａ’の断面図である。
【００１８】  図４は、本考案である仕切壁パネル構造の一実施例であり、同仕切壁パネル構造を設置されたＡＴＭ機の正面側から見た図であり、Ｒ１及Ｌ１部分がのぞき見防止及びひったくり防止の効果を奏するためのいわゆる「羽根」の部分である。
【００１９】  図５は、本考案である仕切壁パネル構造の一実施例であり、同仕切壁パネル構造をＡＴＭコーナー天井から見下ろした図である。
【００２０】  １の立ち位置、３の立ち位置はもちろんのこと、２の立ち位置からでも、いわゆる「羽根」の存在により、ＡＴＭ機の操作画面をのぞき見ることが防止される。
【００２１】  図６は、本考案である仕切壁パネル構造の一実施例であり、同仕切壁パネル構造において、仕切壁パネルの隙間から手を差し込こもうとしている図である。
【００２２】  いわゆる「羽根」の存在により、隣の列の人は、ＡＴＭ機操作者がＡＴＭ機上に載せた鞄等をつかむこと自体が困難であるため、ひったくり防止効果をあげることができる。
【００２３】  図７は、図同様は、本考案である仕切壁パネル構造の一実施例であり、同仕切壁パネル構造を設置されたＡＴＭ機の側面側から見た図であり、図２のＡ−Ａ’の断面図である。
【００２４】  アクリル板等が「半透明」であるために、ＡＴＭ機操作者は、隣の列に人がいることが分かるため、操作画面を見えないようにしたり、手荷物を容易にとられないようにするといった注意を喚起されることになる。
【符号の説明】
【００２５】  １：仕切壁パネル
２：仕切壁パネル
３：パネル枠体
４：ＡＴＭ画面
５：人体の手
Ｒ１：羽根部分
Ｌ１：羽根部分
【図１】
0003160609.tif 000003
【図２】
0003160609.tif 000004
【図３】
0003160609.tif 000005
【図４】
0003160609.tif 000006
【図５】
0003160609.tif 000007
【図６】
0003160609.tif 000008
【図７】
0003160609.tif 000009